(57)【特許請求の範囲】
【請求項１】
花輪の骨組の前面に設けられる装飾基板の所要箇所に発光体の保持部を挿着するための取付孔が形成され、それぞれの取付孔の背後から電源コードに接続された複数の発光体の各保持部を挿着することによって、各発光体の発光部を前記装飾基板の前面側へ突出させると共に、各発光体に接続した電源コードを前記装飾基板の背面側に隠蔽するようにした花輪用発光装置において、前記発光体を挿着するキャップと花びら形状部と該花びら形状部の下端であって前記キャップの外周に形成された環状の鍔部とを有する花びら部材の前記キャップを前記装飾基板の前面から前記取付孔に挿着すると共に、前記装飾基板の背面から前記キャップの外周にリング部材を嵌め込んだ状態にし、さらに前記装飾基板の背面から前記花びら部材のキャップに前記発光体を挿着したことを特徴とする花輪用発光装置。
【請求項２】
前記花びら部材をポリエチレンで形成し、前記リング部材と前記キャップとを熱溶融したポリエチレンで接着するようにしたことを特徴とする請求項１記載の花輪用発光装置。
【請求項３】
前記装飾基板は合成樹脂からなり、該装飾基板の表面に花びら形状が形成されていることを特徴とする請求項１又は２記載の花輪用発光装置。
【発明の詳細な説明】
【技術分野】
【０００１】
本発明は、葬祭等に用いる花輪に発光体を取付けることにより、夜間における照明を可能とした花輪用発光装置に関するものである。
【背景技術】
【０００２】
従来より、葬儀や開店祝等において、式場や入口周辺等に花輪を飾る習慣がある。このような花輪は、昼間の明るい環境においては華やかに見えるが、夜間になって暗くなると、ほとんど見えなくなるものであった。特に、照明設備の不充分な場所において通夜等の葬儀を行う場合、弔問客には花輪がほとんど見えないというのが現状である。
【０００３】
このような問題を解消するために、例えば、特許文献1に記載された「花輪用光装飾装置」がある。この装置は、図７又は図８に示すように、金属リング３１を同心状に配置した骨組３２をスタンド３３で支持すると共に、骨組３２に円形の金網３５を取付けることによって花輪本体３０を形成し、金網３５の前面側に多数の造花３７を取付けてなるものである。
【０００４】
また、金属リング３１に所定間隔で脚部３８を着脱自在に取付け、それぞれの脚部３８の上端にリング状の可撓性部材３９を配置し、この可撓性部材３９にコード係止部４０を突設してあり、それぞれのコード係止部４０の先端に透明なプラスチック製の電球収納部４１を取付け、該電球収納部４１に収納した電球４２の電源コード４３をコード係止部４０と可撓性部材３９に絡ませた構成としてあり、それぞれの電球４２を発光することによって花輪を照明するようにしている。
【０００５】
ところが、上記のように構成された特許文献１の装置は、花輪本体３０の前面側に多数の造花３７を個々に取付けるという面倒な作業のほかに、金属リング３１に脚部３８を所定間隔で取付ける作業、それぞれの脚部３８の上端にリング状の可撓性部材３９を配置する作業、この可撓性部材３９に突設されたコード係止部４０の先端に電球収納部４１を取付ける作業、さらにはそれぞれの電球収納部４１に収納した電球４２の電源コード４３をコード係止部４０と可撓性部材３９に絡ませる作業等を必要とし、それぞれの作業に面倒な手間を有するうえ、多くの部品点数を必要とするため、コスト高になるという問題があった。
【０００６】
さらには、それぞれの電球４２は多数の造花３７、３７…の間に配置され、個々の造花３７を側方から照明するため、照明効果が不充分であり、さらには電球４２の電源コード４３が造花の間から露呈し、その電源コード４３が前面側から人の目に入るため、花輪の見栄えが悪くなるという欠点があった。
【特許文献１】特開平９−１１５３１３号公報（第１、２頁、図４、図６）
【発明の開示】
【発明が解決しようとする課題】
【０００７】
また、上記のほかにも、従来から、花輪を照明するために構成された種々の発光装置があるが、花輪の一部又は脚部、或いは文字の周りを照明するものが大半であり、複雑な構成であったり、取付けが面倒であったり、高価な製作費を要するものであったり、さらにはコードが前面側から見えるために見栄えが悪い等の欠点を有するものであった。
【０００８】
本発明は、上記の事情に鑑みてなされたもので、葬祭等に用いる花輪に簡単且つ安価な構成で所要数の発光体を設けることにより、花輪の略全体を効果的に照らして夜間における綺麗な照明を可能とし、さらに電源コードを前面側から見えない構成とすることによって、花輪にふさわしい花輪用発光装置を提供することを目的とする。
【課題を解決するための手段】
【０００９】
上記の問題を解決するために、本発明の請求項１の花輪用発光装置は、花輪の骨組の前面に設けられる装飾基板の所要箇所に発光体の保持部を挿着するための取付孔が形成され、それぞれの取付孔の背後から電源コードに接続された複数の発光体の各保持部を挿着することによって、各発光体の発光部を前記装飾基板の前面側へ突出させると共に、各発光体に接続した電源コードを前記装飾基板の背面側に隠蔽するようにした花輪用発光装置において、前記発光体を挿着するキャップと花びら形状部と該花びら形状部の下端であって前記キャップの外周に形成された環状の鍔部とを有する花びら部材の前記キャップを前記装飾基板の前面から前記取付孔に挿着すると共に、前記装飾基板の背面から前記キャップの外周にリング部材を嵌め込んだ状態にし、さらに前記装飾基板の背面から前記花びら部材のキャップに前記発光体を挿着したことを特徴とする。
【００１０】
また、本発明の請求項２の花輪用発光装置は、請求項１において、前記花びら部材をポリエチレンで形成し、前記リング部材と前記キャップとを熱溶融したポリエチレンで接着するようにしたことを特徴とする。
【００１１】
さらに、本発明の請求項３の花輪用発光装置は、請求項１又は２において、前記装飾基板は合成樹脂からなり、該装飾基板の表面に花びら形状が形成されていることを特徴とする。
【発明の効果】
【００１７】
上記のように構成された本発明の花輪用発光装置は、花輪の装飾基板の所要箇所に形成された取付孔に発光体の保持部を挿着する構成とされているため、それぞれの取付孔の背後から発光体の各保持部を挿着するという作業だけで、各発光体の発光部を装飾基板の前面側へ突出させることができ、また各発光体に接続した電源コードを装飾基板の背面側に隠蔽することができる。
【００１８】
従って、装飾基板の前面には、発光体の発光部が見えるだけで、電源コードは花輪の背後に隠蔽され、人の目に入らないため、見栄えがよくなり、複数の発光体の発光を一層効果的に綺麗に発光させることが可能となる。
【００１９】
また、本発明において、装飾基板は合成樹脂からなり、該装飾基板の表面に花びら形状が形成されている。この花びら形状を含む装飾基板は成形加工によって安価に量産することができ、またこの花びら形状は、発光体からの光を乱反射させる効果を有する。
【００２０】
また、本発明において、花びら部材のキャップを装飾基板の前面から取付孔に挿着すると共に、装飾基板の背面からキャップの外周にリング部材を嵌め込んだ状態にし、さらに装飾基板の背面から花びら部材のキャップに発光体の発光部を挿着することによって、発光体を装飾基板に安定した固定状態に取り付けることができる。また、発光体の発光部から発射された光が花びら形状部の中央を経て多数の花弁で乱反射されるため、発光体として特にＬＥＤを使用した場合、発射された光が広範囲に拡散して、目に優しい光とすることができる。
【００２１】
このような取り付け状態で、花びら部材のキャップの外周に環状の鍔部を形成してある場合、この鍔部によって花びら部材を装飾基板の取付孔にぶらつきのない安定した状態で取り付けることができる。また、花びら部材に鍔部を形成すると、その鍔部の厚さだけキャップの挿入穴の上端を高い位置に形成することが可能となり、キャップの挿入穴に挿着した発光体の発光部の上端を装飾基板の面より高い位置に突出させることができ、その結果、装飾基板の面上にて発射される発光部からの光量が増加し、効率よく輝度を増して四方に拡散させることが可能となる。
【００２２】
また、花びら部材をポリエチレンで形成し、該花びら部材のキャップを装飾基板の前面から取付孔に挿着すると共に、装飾基板の背面からキャップの外周にリング部材を嵌め込んだ状態にし、該リング部材の内周とキャップとを熱溶融したポリエチレンで接着することによって、キャップとリング部材との隙間に溶融したポリエチレンが充填され、花びら部材の鍔部とリング部材とで装飾基板を挟み込んだガタのない固定状態にすることができる。
【００２３】
さらに、本発明において、装飾基板に設けられた取付孔の周辺には乱反射を生じさせる反射形状が形成されているため、発光体の発光部から照射された光は乱反射形状にあたって乱反射することにより、綺麗な光の変化で人の目を和ませることができる。
【００２４】
また、本発明においては、装飾基板の取付孔に挿着された発光体の電源コードが骨組と金網の間に収納されたことによって、装飾基板の背面側に隠蔽された電源コードを骨組と金網の間に挟むだけで簡単な作業で効率的な収納が可能となる。
【発明を実施するための最良の形態】
【００２５】
以下、本発明の実施例について図面を参照しながら説明する。
【実施例１】
【００２６】
本発明による花輪用発光装置は、花輪用の装飾的な照明に用いるものであり、例えば、図１に示す花輪１の装飾基板２に取付けて使用される。図１の花輪１は、金属棒又は金属パイプを円形等の所定形状に折曲してなる骨組３の前面に金網４が不図示の針金又はフリーバンド等で固定されると共に、骨組３がスタンド５で支持されることによって自立可能とされているものである。
【００２７】
また、外周が円形に形成された骨組３の前面には、合成樹脂によって形成された円弧形状の装飾基板２が設けられている。この装飾基板２は、円形を成す骨組３の前面に設けられた金網４の前面において、その周部に必要数の装飾基板２、２…を環状に取付けることによって周部を覆うものとなる。
【００２８】
ただし、図１において、装飾基板２は、円形の骨組３の一部に設けられた状態に図示してある。実際は、骨組３の周部のほかに、その内方に他の装飾基板を設けたり、さらに中心の円形部３ａにも円形の基板（通常、ここには文字を形成することが多い）を設けることも可能であり、所望の花輪の意匠に応じて様々に計画することができる。
【００２９】
いずれにしても、図２の装飾基板２は、骨組３の前面に設けられた金網４に不図示の針金又はフリーバンド等で接続することによって、骨組３の前面に取付けられる。この装飾基板２は、合成樹脂を材料とする真空成形によって量産を可能とするものである。また、この装飾基板２の表面に複数の花びら形状６、６…が形成されている。さらに、これらの花びら形状６、６…の間には複数の湾曲形状に凹ませた凹部７が形成されている。
【００３０】
本実施例においては、図５に示すように、それぞれの花びら形状６の中心とそれぞれの凹部７の中心に、発光体８の保持部９を嵌合する突出形状に形成されたホルダ部１０が形成されている。また、各ホルダ部１０の先端には発光体８の発光部８ａを外方へ露出させる取付孔１１が形成されている。このような構成においては、ホルダ部１０の上部と先端部に、発光体８の保持部９の形状に応じた段部１０ａが形成され、ホルダ部１０に挿着した発光体８が抜け出たりしないように、確実に保持するようにしている。
【００３１】
このような取付孔１１を有するホルダ部１０の背後の挿入穴１０ｂに発光体８の各保持部９を挿着し、また適当な接着材等で固定することによって、各発光体８の発光部８ａをホルダ部１０の取付孔１１から装飾基板２の前面側へ突出させた取付状態とすることができる。
【００３２】
また、図３又は図５に示すように、各発光体８に接続した電源コード１２は、装飾基板２の背面側に隠蔽するようにしている。即ち、本実施例においては、装飾基板２の取付孔１１に挿着された発光体８の電源コード１２は、装飾基板２の背後に配線され、この電源コード１２を骨組３と金網４の間で挟持した収納状態とすることによって、簡単な作業によって、混乱しがちな電源コード１２をすっきりとまとめることができる。
【００３３】
なお、電源コード１２は、戸外における雨天時の漏電防止等のために防水構造とし、また電源コード１２のコンセントも防水構造とするのが望ましい。
【００３４】
さらに、本実施例においては、図４に示すように、装飾基板２に設けられた取付孔８の周辺には乱反射を生じさせる反射形状が形成されている。この反射形状の形態としては、花輪にふさわしい花びら形状６、花びら形状６の内周に形成された小花の部分に相当する凹凸部６ａ、さらには複数の花びら形状６、６…の間に形成された凹部7が挙げられる。そして、これらの中心に形成されたホルダ部１０の取付孔１１から外方へ露出された発光体８の発光部８ａから光を発射させ、その周辺の乱反射形状に反射させることによって、変化のある色彩で鮮やかな照明とすることが可能となる。
【００３５】
なお、上記の発光体８としては、ＬＥＤを用いることによって、発熱を抑え、消費電力を大幅に低減することができ、また長期の寿命を有するものとして使用することができる。
【００３６】
また、発光体８の光の色は、花輪が使用される葬祭の内容によって考慮すべきであるが、
ＬＥＤを利用して種々の発光色を選択することができる。さらに、発光体からの光を継続的に発光させたり、一定の時間をおいて間欠的に発光させたり、また点滅状態で発光させたりすることができ、花輪の用途によって様々に計画することができる。
【００３７】
図６に示す花輪１は、上記の装飾基板２と同様の構成によるものを上記の金網４の前面における内周部及び中心部にも取付けた状況を示す。ただし、内周部の装飾基板２０はその外周の装飾基板２よりも円弧形状を縮めて形成し、上記と同様に花びら形状６や凹部７が形成され、それぞれの中心には発光体８を挿着するホルダ部１０が形成され、またこのホルダ部１０には発光部８ａを外方へ露出させる取付孔１１が形成されている。このような円弧形の装飾基板２０を必要数だけ環状に不図示の針金又はフリーバンド等で取付けることによって内周部を覆うものとなる。
【００３８】
また、中心部の装飾基板２は円形とし、葬祭の内容に応じて文字２２を形成することができ、この文字２２の周りにも上記の花びら形状６を形成してもよい。さらに、文字２２に沿って複数のホルダ部１０を形成してそれぞれに発光体８を挿着し、また文字２２の周りの花びら形状６の中心にもホルダ部１０を形成して発光体８を挿着するようにしてもよい。
【実施例２】
【００３９】
この実施例は、上記のように構成された花輪用発光装置において、発光体８を装飾基板２に取り付ける構造に関して他の形態を示すものである。従って、他の構成は上記の実施例１と同様の構造でよい。
【００４０】
本実施例においては、図７に示すように、発光体８を挿着するキャップ２３ｂと花びら形状部２３ａとを有する花びら部材２３のキャップ２３ｂを装飾基板２の前面から取付孔１１に挿着する構造としている。花びら部材２３のキャップ２３ｂには発光体８を挿着して容易に抜け出ることがない内径を有する挿入穴２３ｃが形成されている。
【００４１】
また、花びら部材２３は、キャップ２３ｂと花びら形状部２３ａとを例えばポリエチレンで一体成形することによってほぼ透明色を呈するものとなる。従って、花びら形状部２３ａを多数の花弁の集合体に形成すると、ほぼ透明色からなる花弁が多数集合した綺麗な外観を呈するものとなる。これは、図７に示すように、キャップ２３ａに発光体８を挿着したとき、発光体８の発光部８ａから発射された光が花びら形状部２３ａの中央（「花びら中央部」と称する）２７を経て多数の花弁で乱反射される効果を発揮する。
【００４２】
このような構成において、発光体８としてＬＥＤを使用した場合、目に直射されたＬＥＤはまばゆく感じるものであるが、上記の多数の花弁による花びら形状部２３ａの乱反射及び拡散効果によってＬＥＤから発射された光が広範囲に拡散して目に優しい光となる。
【００４３】
また、図７に示す花びら部材２３においては、花びら形状部２３ａの下端であってキャップ２３ｂの外周に環状の鍔部２４を形成している。この鍔部２４は花びら中央部２７の下部にて環状の台座をなす。このような構成において、花びら部材２３のキャップ２３ｂを装飾基板２の取付孔１１に挿着し、鍔部２４を装飾基板２の上面に当てることによって、花びら部材２３をぶらつきのない安定した状態に固定することができる。
【００４４】
また、図７に示すように、花びら部材２３に鍔部２４を形成すると、その鍔部２４の厚さだけキャップ２３ｂの挿入穴２３ｃの上端を高い位置に形成することが可能となる。そのため、キャップ２３ｂの挿入穴２３ｃに挿着された発光体８の発光部８ａの上端を装飾基板２の面より高い位置に突出させることができ、装飾基板２の面上にて発射される発光部８ａからの光量が増加し、輝度を増して四方に拡散されることになる。
【００４５】
さらに、本実施例においては、花びら中央部２７を前面に盛り上げた形状にしているため、その分、挿入穴２３ｃの上端を前面に突出した位置に形成することができ、上記の鍔部２４による効果に併せて、装飾基板２の面上にて発射される発光部８ａからの光量が増加し、花びら形状部２３ａによる拡散効果を高めることが可能となる。
【００４６】
また、本実施例においては、上記のように装飾基板２の取付孔１１に挿着した花びら部材２３のキャップ２３ｂの外周にリング部材２５を嵌め込むことによって花びら部材２３を固定することができる。このリング部材２５は、キャップ２３ｂの最大外径よりもやや小なる内径の穴部２５ａを有するものであるが、この穴部２５ａに傾斜をつけることによってテーパ形状としてあり、このためリング部材２５の穴部２５ａをキャップ２３ｂの外周に挿入する際の作業が容易となる。
【００４７】
さらに、図７に示すように、キャップ２３ｂの外周を花びら形状部２３ａ側に近づくに従って小径となるテーパ形状とすることにより、上記のリング部材２５をキャップ２３ｂの端部から嵌め込んで装飾基板２の取付孔１１に当接するまで容易に挿入することができる。なお、図７に示す左右の１点鎖線Ｌ、Ｌは互いに平行に描いてあり、キャップ２３ｂがテーパ形状であることを分かりやすくするためのものである。このとき、キャップ２３ｂの外周とリング部材２５の穴部２５ａの内周とには隙間が生じるが、この隙間に接着材２６を充填することによってリング部材２５をキャップ２３ｂに対してガタのない状態で固定することができ、花びら部材２３を安定した固定状態にすることができる。
【００４８】
上記の接着材２６としては、花びら部材２３等の合成樹脂材料に適した一般の接着剤を使用してもよいが、花びら部材２３とリング部材２５をポリエチレンで形成してある場合、一般に、ホットガンと称されている工具（内部に棒状のポリエチレンを装填して熱で溶融された部分を射出する構造を有する）を用いて熱溶融されたポリエチレンを射出すると、キャップ２３ｂとリング部材２５との隙間に熱溶融されたポリエチレンが充填される結果、装飾基板２を花びら部材２３の鍔部２４とリング部材２５とで挟み込んだガタのない固定状態にすることができる。
【００４９】
このような熱溶融されたポリエチレンの接着効果は、リング部材２５として硬質プラスチック又は金属ワッシャを用いた場合でも、上記と同様にキャップ２３ｂとリング部材２５との隙間に熱溶融されたポリエチレンが充填される結果、花びら部材２３を装飾基板２にガタのない固定状態で取り付けることが可能となる。
【００５０】
図８は、花びら部材２３のキャップ２３ａの外周を均等な外径にしたものであり、上記のようにリング部材をポリエチレン、硬質プラスチック、金属製とした場合、リング部材２５の穴部２５ａを傾斜状（又は穴部２５ａの内周縁の角部をとったもの）とすると、リング部材２５の穴部２５ａをキャップ２３ｂの外周に挿入する作業が容易なものとなる。
【００５１】
なお、リング部材２５の穴部２５ａをテーパ形状にしなくても、キャップ２３ａがポリエチレン製であれば、該ポリエチレン製リング部材２５は多少の軟質性を有するものであるから、リング部材２５を圧入するように嵌め込むことによって挿着することが可能となる。その際、リング部材２５の穴部２５ａの内周縁の角部をとって丸くしたものを使用することにより、リング部材２５の穴部２５ａをキャップ２３ｂの外周に挿入する作業が容易なものとなる。
【００５２】
なお、図９に示す装飾基板２の取付孔１１に挿着した花びら部材２３は、この花びら部材２３に鍔部２４を形成していないものであって、この場合も上記同様に花びら部材２３のキャップ２３ｂにリング部材２５を挿着して、接着剤または上記の溶融したポリエチレン等の接着材２６で固定した取付構造とすることが可能である。
【００５３】
上記の構成よりなる花びら部材２３を装飾基板２の取付孔１１に取り付けるには、図１０(a)に示すように、花びら部材２３のキャップ２３ｂを装飾基板２の取付孔１１の前側に配置し、図８(b)に示すように、キャップ２３ｂを取付孔１１に挿入して、鍔部２４を装飾基板２の上面に当接させる。次いで、図８(c)に示すように、花びら部材２３のキャップ２３ｂにリング部材２５を挿着して接着剤または上記の熱溶融したポリエチレンで固定し、図８(d)に示すように、キャップ２３ｂの挿入穴２３ｃに発光体８の発光部８ａを挿着する。なお、この発光体８としては、上記のＬＥＤが好ましい。
【産業上の利用可能性】
【００５４】
本発明は、葬祭等に用いる花輪に簡単且つ安価な構成で所要数の発光体を設けることにより、花輪の略全体を効果的に照らして夜間における綺麗な照明を可能とし、さらに電源コードを前面側から見えない構成とすることによって、花輪にふさわしい花輪用発光装置として利用することが可能となる。
【図面の簡単な説明】
【００５５】
【図１】本発明による実施例１の花輪用発光装置を設けた花輪の正面図である。
【図２】本発明による実施例１の花輪用発光装置の単体の装飾基板の正面図である。
【図３】本発明による実施例１の花輪用発光装置の単体の装飾基板の背面図であり、金網を設けた状況を示す。
【図４】本発明による実施例１の花輪用発光装置の装飾基板における花びら形状と凹部を示す部分拡大斜視図である。
【図５】本発明による実施例１の花輪用発光装置の花びら形状に設けられた発光体のホルダの拡大断面図である。
【図６】本発明による実施例１の装飾基板を花輪の全面に適用した正面図である。
【図７】本発明による実施例２の花輪用発光装置における花びら部材の取付け構造を示す断面図である。
【図８】本発明による実施例２の花輪用発光装置における花びら部材の他の実施例を示す断面図である。
【図９】本発明による実施例２の花輪用発光装置における花びら部材の他の実施例を示す断面図である。
【図１０】(ａ)〜(ｄ)は、本発明による実施例２の花輪用発光装置における花びら部材の取付け手順を示す側面図である。
【図１１】従来の花輪用光装飾装置の側面図である。
【図１２】従来の花輪用光装飾装置における電球を取付けた周部の拡大図である。
【符号の説明】
【００５６】
１…花輪
２…装飾基板
３…骨組
４…金網
５…スタンド
６…花びら形状
７…凹部
８…発光体
８ａ…発光部
９…保持部
１０…ホルダ部
１１…取付孔
１２…電源コード
２０…内周部の装飾基板
２１…中心部の装飾基板
２２…文字
２３…花びら部材
２３ａ…花びら形状部
２３ｂ…キャップ
２３ｃ…挿入穴
２４…鍔部
２５…リング部材
２５ａ…穴部
２６…接着材
２７…花びら中央部
【要約】
【課題】葬祭等に用いる花輪に簡単且つ安価な構成で所要数の発光体を設けることにより、花輪の略全体を効果的に照らして夜間における綺麗な照明を可能とし、さらに電源コードを前面側から見えない構成とすることによって、花輪にふさわしい花輪用発光装置を提供する。
【解決手段】花輪１の骨組３の前面に設けられる装飾基板２の所要箇所に発光体８の保持部９を挿着するための取付孔１１が形成され、それぞれの取付孔１１の背後から電源コード１２に接続された複数の発光体８の各保持部９を挿着することによって、各発光体８の発光部８ａを装飾基板２の前面側へ突出させると共に、各発光体８に接続した電源コード１２を装飾基板２の背面側に隠蔽するようにした。
【選択図】図１
【図１】
0003650935.tif 000002
【図２】
0003650935.tif 000003
【図３】
0003650935.tif 000004
【図４】
0003650935.tif 000005
【図５】
0003650935.tif 000006
【図６】
0003650935.tif 000007
【図７】
0003650935.tif 000008
【図８】
0003650935.tif 000009
【図９】
0003650935.tif 000010
【図１０】
0003650935.tif 000011
【図１１】
0003650935.tif 000012
【図１２】
0003650935.tif 000013